(57)【要約】【課題】形状等が異なる各種記憶媒体に対して、いずれかの記憶媒体に貼付可能なラベルであり、かつ記憶媒体の記憶情報を印刷した貼付物（ラベル等）を容易に製造する印刷装置を提供する。【解決手段】それぞれが記憶媒体に貼付するラベルであり、異なった種類の記憶媒体へ貼付するのに適した、形状の異なる複数のラベルを備えるラベル用紙に、ラベル用紙の各ラベルに印刷する印刷データを生成して印刷する。【選択図】  図１５
2005028725.tif 000002
【特許請求の範囲】
【請求項１】
それぞれが記憶媒体に貼付する貼付物であり、異なった種類の記憶媒体へ貼付するのに適した、形状の異なる複数の前記貼付物を備える記録媒体のそれぞれの貼付物に対応した印刷データを生成する生成手段と、
前記生成した印刷データを前記記録媒体に印刷する印刷手段と、を備えることを特徴とする印刷装置。
【請求項２】
前記貼付物は、ラベル、シール、インデックスカードラベルを含むことを特徴とする請求項１の印刷装置。
【請求項３】
前記貼付物は前記記憶媒体と前記記憶媒体を収容する収容ケースの表面または側面に貼付するラベルであることを特徴とする請求項１の印刷装置。
【請求項４】
前記印刷手段は、前記生成した印刷データを一度の印刷で前記記録媒体のそれぞれの貼付物に印刷することを特徴とする請求項１の印刷装置。
【請求項５】
前記生成手段は、前記貼付物に印刷する印刷情報を選択させる印刷情報の選択画面を表示し、該選択画面で選択された印刷情報に基づいて前記印刷データを生成することを特徴とする請求項１の印刷装置。
【請求項６】
前記生成手段は、前記貼付物に印刷する文字の種類、文字の大きさまたは貼付物の背景の種類のうちの少なくとも１つを選択する選択画面を表示し、該選択画面で選択された前記文字の種類、文字の大きさまたは貼付物の背景を用いて前記印刷データを生成することを特徴とする請求項１の印刷装置。
【請求項７】
前記印刷データは、前記記憶媒体に記憶されているアルバムタイトル、曲名、または、アーチスト名のうちの少なくとも１つを含むことを特徴とする請求項１の印刷装置。
【請求項８】
前記生成手段は、貼付物の形状と貼付物の配置位置に応じた印刷データを生成することを特徴とする請求項１の印刷装置。
【請求項９】
前記記録媒体の中から所望の記録媒体を選択する選択手段と、前記選択された記憶媒体に対応する印刷データを生成し、該印刷データに基づいて印刷するように前記生成手段と前記印刷手段とを制御する制御手段と、を更に有することを特徴とする請求項１の印刷装置。
【請求項１０】
それぞれが記憶媒体に貼付する貼付物であり、異なった種類の記憶媒体へ貼付するのに適した、形状の異なる複数の前記貼付物を備える記録媒体を用いる印刷装置の制御方法であって、
前記記録媒体のそれぞれの貼付物に対応した印刷データを生成する生成工程と、
前記生成した印刷データを前記記録媒体に印刷する印刷工程と、を備えることを特徴とする印刷装置の制御方法。
【請求項１１】
それぞれが記憶媒体に貼付する貼付物であり、異なった種類の記憶媒体へ貼付するのに適した、形状の異なる複数の前記貼付物を備える記録媒体を用いる印刷装置を制御する制御プログラムであって、
前記記録媒体のそれぞれの貼付物に対応した印刷データを生成する生成工程と、
前記生成した印刷データを前記記録媒体に印刷する印刷工程と、を備えることを特徴とする印刷装置を制御する制御プログラム。
【請求項１２】
記憶媒体に貼付する貼付物であり、異なった種類の記憶媒体へ貼付するのに適した、形状の異なる前記貼付物を印刷する印刷装置を制御する情報処理装置であって、
前記記録媒体のそれぞれの貼付物に対応した印刷データを生成する生成手段と、
前記生成した印刷データを前記印刷装置により記録媒体に印刷する印刷指示手段とを備えることを特徴とする情報処理装置。
【請求項１３】
記憶媒体に貼付する貼付物であり、異なった種類の記憶媒体へ貼付するのに適した、形状の異なる前記貼付物を印刷する印刷装置を制御する情報処理装置の制御方法であって、
前記記録媒体のそれぞれの貼付物に対応した印刷データを生成する生成工程と、
前記生成した印刷データを前記印刷装置により記録媒体に印刷する印刷指示工程とを備えることを特徴とする情報処理装置の制御方法。
【請求項１４】
記憶媒体に貼付する貼付物であり、異なった種類の記憶媒体へ貼付するのに適した、形状の異なる前記貼付物を印刷する印刷装置を制御する情報処理装置を制御する制御プログラムであって、
前記記録媒体のそれぞれの貼付物に対応した印刷データを生成する生成工程のプログラムコードと、
前記生成した印刷データを前記印刷装置により記録媒体に印刷する印刷指示工程のプログラムコードとを備えることを特徴とする情報処理装置の制御方法。
【発明の詳細な説明】
【０００１】
【発明の属する技術分野】
本発明は、記憶媒体とその記憶媒体を収納する収納ケースのそれぞれに貼付するための記憶情報を印刷した貼付物（ラベルなど）を製造する印刷装置の印刷制御に関し、特にユーザが使用する際に利用料金を徴収して、映像、音声、情報等を記憶する記憶媒体とその記憶媒体を収納する収容ケースに貼付するラベルを製造する印刷装置の印刷制御に関する。
【０００２】
【従来の技術】
本出願人は、光磁気ディスク、磁気テープ、磁気ディスク、ＩＣカード、Ｆｌａｓｈメモリーカード等に代表される映像、音声、情報を記録する記憶媒体とその記憶媒体を収納する収納ケースとに貼付するための貼付物（ラベルなど）、あるいはＭＰ３プレイヤ等に代表される記憶媒体を有する記録装置に貼付するためのラベル、例えば、記憶媒体に記憶されている記憶情報の内容を示すラベル、シール、インデックスカード等、を製造するために、ラベルに印刷する印刷データを生成し、この生成した印刷データをラベルに印刷する印刷装置を提案した（特許文献１）。
【０００３】
この印刷装置を利用すると、ユーザは、記憶媒体とその記憶媒体を収納する収納ケース用の貼付物、例えば、ラベルなどを同時に作成できる。ただし、上記印刷装置で作成できるラベルは、１種類の記憶媒体とその収容ケースのでに限られていた。
【０００４】
【特許文献１】
特開２０００−１９０５７５号公報
【０００５】
【発明が解決しようとする課題】
しかしながら、周知のように記憶媒体としては種々の形状を有する記憶媒体が存在する。このため、１種類の記憶媒体とその記憶媒体を収納する収容ケースに適合した貼付物しか作成できない上述の印刷装置では、複数の異なる種類の記憶媒体に対してそれぞれ対応するラベルの製造のサービスを期待するユーザのニーズを満足することはできない。
【０００６】
本発明は、上記従来技術の問題点を解決するためになされたものであり、その目的は、形状等が異なる各種記憶媒体に対して、いずれかの記憶媒体に貼付可能な貼付物（ラベル等）であり、記憶媒体の記憶情報を印刷した貼付物を容易に製造可能な印刷装置、情報処理装置およびその制御方法を提供することである。
【０００７】
【課題を解決するための手段】
上記目的を達成するための本発明に係る一実施形態の印刷装置は、以下の構成を有する。すなわち、それぞれが記憶媒体に貼付する貼付物であり、異なった種類の記憶媒体へ貼付するのに適した、形状の異なる複数の前記貼付物を備える記録媒体のそれぞれの貼付物に対応した印刷データを生成する生成手段と、前記生成した印刷データを前記記録媒体に印刷する印刷手段と、を備えることを特徴とする。
【０００８】
ここで、例えば、前記貼付物は、ラベル、シール、インデックスカードラベルを含むことが好ましい。
【０００９】
ここで、例えば、前記貼付物は前記記憶媒体と前記記憶媒体を収容する収容ケースの表面または側面に貼付するラベルであることが好ましい。
【００１０】
ここで、例えば、前記印刷手段は、前記生成した印刷データを一度の印刷で前記記録媒体のそれぞれの貼付物に印刷することが好ましい。
【００１１】
ここで、例えば、前記生成手段は、前記貼付物に印刷する印刷情報を選択させる印刷情報の選択画面を表示し、該選択画面で選択された印刷情報に基づいて前記印刷データを生成することが好ましい。
【００１２】
ここで、例えば、前記生成手段は、前記貼付物に印刷する文字の種類、文字の大きさまたは貼付物の背景の種類のうちの少なくとも１つを選択する選択画面を表示し、該選択画面で選択された前記文字の種類、文字の大きさまたは貼付物の背景を用いて前記印刷データを生成することが好ましい。
【００１３】
ここで、例えば、前記印刷データは、前記記憶媒体に記憶されているアルバムタイトル、曲名、または、アーチスト名のうちの少なくとも１つを含むことが好ましい。
【００１４】
ここで、例えば、前記生成手段は、貼付物の形状と貼付物の配置位置に応じた印刷データを生成することが好ましい。
【００１５】
ここで、例えば、前記記録媒体の中から所望の記録媒体を選択する選択手段と、前記選択された記憶媒体に対応する印刷データを生成し、該印刷データに基づいて印刷するように前記生成手段と前記印刷手段とを制御する制御手段と、を更に有することが好ましい。
【００１６】
上記目的を達成するための本発明に係る一実施形態の印刷装置の制御方法は、以下の構成を有する。すなわち、それぞれが記憶媒体に貼付する貼付物であり、異なった種類の記憶媒体へ貼付するのに適した、形状の異なる複数の前記貼付物を備える記録媒体を用いる印刷装置の制御方法であって、前記記録媒体のそれぞれの貼付物に対応した印刷データを生成する生成工程と、前記生成した印刷データを前記記録媒体に印刷する印刷工程と、を備えることを特徴とする。
【００１７】
上記目的を達成するための本発明に係る一実施形態の印刷装置を制御する制御プログラムは、以下の構成を有する。すなわち、それぞれが記憶媒体に貼付する貼付物であり、異なった種類の記憶媒体へ貼付するのに適した、形状の異なる複数の前記貼付物を備える記録媒体を用いる印刷装置を制御する制御プログラムであって、前記記録媒体のそれぞれの貼付物に対応した印刷データを生成する生成工程と、前記生成した印刷データを前記記録媒体に印刷する印刷工程と、を備えることを特徴とする。
【００１８】
上記目的を達成するための本発明に係る一実施形態の情報処理装置を制御する制御プログラムは、以下の構成を有する。すなわち、記憶媒体に貼付する貼付物であり、異なった種類の記憶媒体へ貼付するのに適した、形状の異なる前記貼付物を印刷する印刷装置を制御する情報処理装置であって、前記記録媒体のそれぞれの貼付物に対応した印刷データを生成する生成手段と、前記生成した印刷データを前記印刷装置により記録媒体に印刷する印刷指示手段とを備えることを特徴とする。
【００１９】
上記目的を達成するための本発明に係る一実施形態の情報処理装置の制御方法は、以下の構成を有する。すなわち、記憶媒体に貼付する貼付物であり、異なった種類の記憶媒体へ貼付するのに適した、形状の異なる前記貼付物を印刷する印刷装置を制御する情報処理装置の制御方法であって、前記記録媒体のそれぞれの貼付物に対応した印刷データを生成する生成工程と、前記生成した印刷データを前記印刷装置により記録媒体に印刷する印刷指示工程とを備えることを特徴とする。
【００２０】
上記目的を達成するための本発明に係る一実施形態の情報処理装置を制御する制御プログラムは、以下の構成を有する。すなわち、記憶媒体に貼付する貼付物であり、異なった種類の記憶媒体へ貼付するのに適した、形状の異なる前記貼付物を印刷する印刷装置を制御する情報処理装置を制御する制御プログラムであって、前記記録媒体のそれぞれの貼付物に対応した印刷データを生成する生成工程のプログラムコードと、前記生成した印刷データを前記印刷装置により記録媒体に印刷する印刷指示工程のプログラムコードとを備えることを特徴とする。
【００２１】
【発明の実施の形態】
本発明は、それぞれが記憶媒体に貼付する貼付物（ラベル等）であり、異なった種類の記憶媒体へ貼付するのに適した、形状の異なる複数の貼付物を備える記録媒体のそれぞれの貼付物に対応した印刷データを生成する生成部と、生成した印刷データを記録媒体に印刷する印刷部と、を備えることを特徴とする印刷装置として実施可能である。
【００２２】
また、記憶媒体に貼付する貼付物であり、異なった種類の記憶媒体へ貼付するのに適した、形状の異なる貼付物を印刷する印刷装置を制御するために、記録媒体のそれぞれの貼付物に対応した印刷データを生成する生成部と、生成した印刷データを印刷装置により記録媒体に印刷する印刷指示手部とを備えることを特徴とする情報処理装置として実施可能である。
【００２３】
このような発明は、具体的に図１〜図２１に示す構成において、以下の第１と第２の実施形態と対応して実現できる。
【００２４】
＜第１の実施形態＞
以下、本発明の実施形態を図面を参照して詳細に説明する。
【００２５】
本明細書において、「記録」（「印字」、「印刷」という場合もある）とは、文字、図形等有意の情報を形成する場合のみならず、有意無意を問わず、また人間が視覚で知覚し得るように顕在化したものであるか否かを問わず、広く記録媒体上に画像、模様、パターン等を形成する、または媒体の加工を行う場合も表すものとする。
【００２６】
また、「記録媒体」とは、一般的な記録装置で用いられる紙などの上に貼付と取外しとが可能な種々の形状を有する貼付物（ラベル、シール、インデックスカード等）が所定位置に貼付されている貼付物付きの台紙（以下、ラベル用紙と称す）を表すものとする。ここで、ラベルは、紙ばかりではなく、広く布、プラスチック・フィルム、皮革等のインクを受容可能なものであってもよい。
【００２７】
また、「記憶媒体」とは、一般的な記録装置で用いられる光磁気ディスク、磁気テープ、磁気ディスク、ＩＣカード、Ｆｌａｓｈメモリーカード等に代表される映像、音声、情報を記録する記憶媒体およびＭＰ３プレイヤ等に代表される記憶媒体をも表すものとする。
【００２８】
本発明の第一の実施の形態に係る出力物のラベル用紙のレイアウトについて、図１〜５を参照して説明する。
図１は出力物であるラベル用紙のレイアウト図である。図２はミニディスク及びその収納ケースに図１のラベル（貼付物）を貼付した図である。図３はＳＤメモリーカード及びその収納ケースに図１のラベルを貼付した図である。図４はコンパクトフラッシュ（登録商標）カード及びその収納ケースに図１のラベルを貼付した図である。図５はメモリースティック及びその収納ケースに図１のラベルを貼付した図である。
【００２９】
［ラベル用紙：図１］
図１は図２〜５に示す各種の記憶媒体とその記憶媒体を収納する収納ケースに適合するように切り目が入れられたラベルである。なお、台紙１０１は、例えば、１００ｍｍ×１４８ｍｍの葉書サイズである。
【００３０】
１０２〜１１０にはそれぞれ切り目が入れられているラベルである。各ラベルのサイズは、１０２は５２ｍｍ×７０ｍｍであり、１０３は５ｍｍ×７０ｍｍであり、１０４は３．５ｍｍ×５８ｍｍであり、１０５は１７ｍｍ×３３ｍｍであり、１０６は１４ｍｍ×１７ｍｍであり、１０７は３２ｍｍ×５２ｍｍであり、１０８は２０ｍｍ×２０ｍｍであり、１０９は１０８と同様で２０ｍｍ×２０ｍｍであり、１１０は１３ｍｍ×３３ｍｍであり、１１１は１１０と同様で１３ｍｍ×３３ｍｍである。
【００３１】
なお、ラベル１０７、ラベル１０４、ラベル１０２、ラベル１０３は、図２のミニディスク（記憶媒体）２０１およびその収容ケース２０４の各ラベル位置２０２、２０３、２０５，２０６に貼付するラベルである。
【００３２】
また、ラベル１０８、ラベル１０９は、図３のＳＤメモリーカード（記憶媒体）３０１およびその収容ケース３０３の各ラベル位置３０２、３０４に貼付するラベルである。
【００３３】
また、ラベル１０８、ラベル１０９は、図４のコンパクト（登録商標）フラッシュ（記憶媒体）４０１およびその収容ケース４０３の各ラベル位置４０２、４０４に貼付するラベルとしても使用できる。
【００３４】
また、ラベル１１０、ラベル１１１は、図５のメモリースティック（記憶媒体）５０１およびその収容ケース５０３の各ラベル位置５０２、５０４に貼付するラベルである。
【００３５】
［ラベルの使用例：図２〜５］
図１のラベルの使用例を図２〜５に示してある。
【００３６】
［ミニディスク：図２］
図２はミニディスクにおける利用例である。２０１は記憶媒体（ミニディスク）、２０４は収納ケースである。
【００３７】
ラベル１０２は２０５へ、ラベル１０３は２０６へ、ラベル１０４は２０３へ、ラベル１０７は２０２へ貼付する。なおミニディスクは、そのそれぞれの製造メーカにより２０２の大きさが異なっている。その場合にはラベル１０５，１０６を用いて、ラベル１０５，１０６を２０２に相当する部分に貼付することができる。
【００３８】
次にラベル１０８、１０９の使用例について説明する。ラベル１０８、１０９は主にＳＤメモリーカード、コンパクト（登録商標）フラッシュへの利用を想定したラベルである。
【００３９】
［ＳＤメモリーカード：図３］
図３はＳＤメモリーカードにおける利用例である。３０１は記憶媒体（ＳＤメモリーカード）、３０３はその収納ケースである。
【００４０】
ラベル１０８は３０２へ、１０９は３０４へ貼付する。なおラベル１０８、１０９は同サイズであるため媒体、ケースどちらにも貼り付け可能である。
【００４１】
［コンパクトフラッシュ（登録商標）：図４］
図４はコンパクトフラッシュ（登録商標）における利用例である。４０１は記憶媒体（コンパクトフラッシュ（登録商標））、４０３はその収納ケースである。
【００４２】
ラベル１０８は４０２へ、ラベル１０９は４０４へ貼付する。なおラベル１０８、１０９は同サイズであるため媒体、ケースどちらにも貼り付け可能である。
【００４３】
次にラベル１１０、１１１の利用例について説明する。主にラベル１１０、１１１はメモリースティックへの利用を想定したラベルである。
【００４４】
［メモリースティック：図５］
図５はメモリースティックにおける利用例である。５０１は記憶媒体（メモリースティック）、５０３はその収納ケースである。
【００４５】
ラベル１１０は５０２へ、ラベル１１１は５０４へ貼付する。なお１１０、１１１は同サイズであるため媒体、ケースどちらにも貼り付け可能である。
【００４６】
［各種記憶媒体用のラベルの製造装置：図６］
次に、以上説明したような利用ができる台紙１０１を用いて、印刷装置で各種媒体用のラベルを作成する方法について説明する。
【００４７】
図６は本発明の第一の実施の形態に係る印刷装置６０１を示す斜視図である。
【００４８】
図６において、印刷装置６０１は、コンピュータ６０２と、タッチパネル式モニタ６０３と、コインベンダ６０４と、プリンタ６０５と、印刷物を出力する出力口６０６とを備える。印刷装置６０１は、光磁気ディスク、磁気テープ、磁気ディスク、ＩＣカード、及びＦｌａｓｈメモリカード等に代表される映像、音楽、情報を記録する記憶媒体、各記憶媒体を収納するケース、及びＭＰ３プレイヤ等に代表される記憶媒体を有する記録装置に適合した貼付物（ラベル、シール、インデックスカード等）の印刷を行うと共に、ユーザが必要とする音楽、音声等の曲名、タイトル名、アーティスト名等の情報を、上記の各種記憶媒体に貼付する貼付物に印刷する機能を備える。
【００４９】
［印刷装置と他のコンピュータとの接続：図７］
図７は、図６の印刷装置６０１の全体構成、及び他のコンピュータの内部構成およびそれらの機器との接続を示すブロック図である。
【００５０】
図７において、コンピュータ６０２は、タッチパネル式モニタ６０３、コインベンダ６０４、及びプリンタ６０５に接続されている。コンピュータ６０２は、通信処理部６０２−１、後述するプログラムを読み込み、制御を行う、中央処理部（ＣＰＵ）６０２−２、ＲＡＭおよびハードディスク７０１から成る記憶装置を備えており、ハードディスク７０１には、曲名、タイトル名、アーティスト名等から成る印刷データのデータベース７０３及び中央処理部ＣＰＵにより読み込まれる後述する制御処理（図８，９）を行う制御プログラム７０２を格納している。
【００５１】
制御プログラム７０２は、コンピュータ６０２内のＲＡＭから成るメモリにコピーされた後ＣＰＵ６０２−２により実行される。ＣＰＵは制御プログラム７０２に基づいてＲＡＭなどを使用して後述する制御処理（図８，９）を制御する。
タッチパネル式モニタ６０３は、表示画面に重ねられたタッチパネルを備えた表示装置であり、その画面上のタッチパネルをユーザが指で触圧することにより各種操作が行え、印刷に必要なデータを入力することができる。コインベンダ６０４は、印刷装置６０１を利用する利用料金を徴収するための料金徴収装置である。プリンタ６０５は印刷装置であり、ラベル等の貼付物を印刷し、出力口６０６を介して該貼付物を出力する。
【００５２】
コンピュータ６０２は、７１０のＬＡＮ接続により印刷装置６０１が設置されている店舗の店舗設置コンピュータ７０４に接続されている。店舗設置コンピュータ７０４からは、その店舗でのオリジナルランキングデータ７０６をデータベースとして印刷装置６０１で利用するため、ランキングデータ書き換えプログラム７０５により、ＬＡＮ７１０を通して店舗オリジナルランキングデータ７０５がコンピュータ６０２に送信され、データベース７０３内に格納される。
【００５３】
またコンピュータ６０２は、モデム７１１を介して通信回線でサーバーコンピュータ７０７に接続されている。サーバーコンピュータ７０７からは、新譜情報等の最新データを印刷装置６０１で利用できるよう、最新データ書き換えプログラム７０８により、モデム７１１を介した通信回線から最新データ７０９がコンピュータ６０２に送信され、データベース７０３内に格納される。
【００５４】
［ラベル作成処理：図８，９］
次に、上述の構成からなる実施例の印刷装置６０１でラベル作成の利用方法を図８〜１５を参照して説明する。
【００５５】
図８，９は、制御プログラムに従ってＣＰＵの制御に基づいて実行されるラベル作成処理を示すフローチャートである。
【００５６】
図１０〜１４は、図８，９のラベル作成処理で使用するタッチパネル式モニタ６０３上に表示される画面の一例を示す図である。また、図１５は印刷結果（ラベル）の一例を示す図である。
【００５７】
図８において、ラベル作成処理が起動すると（ステップＳ８０１）、待機画面が表示され（ステップＳ８０２）、待機画面中にユーザによるコインの投入を確認すると（ステップＳ８０３）、印刷装置６０１の使用を可能として、ステップＳ８０４に進む。
【００５８】
ステップＳ８０４では、タッチパネル式モニタ６０３の画面上にラベルに印刷する内容（たとえば、曲目）の入力方式を選択するメニュー表示画面（図１０）を表示し、ユーザに入力方式をボタン１００１〜１００４から選択させる。
【００５９】
次に、ユーザが図１０のボタン１００１〜１００４のいずれかを押下し、入力方式が選択されたのを検知すると、ステップＳ８０５に進む。以下の説明では、ステップＳ８０５の一例として図１０のメニュー表示画面でユーザがボタン１００２を押下した場合（アルバムＴＯＰ２０のラベルを作成する場合）を例に取り説明する。他のボタンが押下された場合も同様である。なお、アルバムＴＯＰ２０は、サーバーコンピュータ７０７より一定期間で更新され、データベース７０２に保存されている、アルバムＴＯＰ２０ランキングデータベースに基づいてラベルを作成するものである。
【００６０】
次に、ステップＳ８０６で、アルバム選択画面（図１１）が表示される。ユーザはアルバムＴＯＰ２０ランキングの中から作成するラベルを選択する。
【００６１】
ユーザは１１０２−１〜１１０２−１０のいずれのボタンを押下することにより作成したいアルバムを選択する。１１０３はアルバムタイトル、１１０４はアーティスト名である。なお図１１に示す１画面上には１０個のアルバム（１１０２−１〜１１０２−１０）が表示されているが、ＴＯＰ２０の１１位〜２０位までのデータを参照するには１１０６のボタンで次ページに移動し、別画面で選択すればよい。また別画面から図１１の画面に戻る場合には１１０５ボタンで移動すればよい。なお、１１０７のボタンは前画面（図１０）のステップに戻る場合に使用する。
【００６２】
なお以下の説明では、１１０２−１のアルバムのラベルを作成する場合を一例として以下に説明する。他の場合も同様である。
【００６３】
次にステップＳ８０７では、図１２に一例を示す１１０２−１で選択されたアルバムの入力項目確認画面が表示され、ユーザはその画面でタイトルや曲名を確認することができる。すなわち、１２０１にはラベルタイトル（図１１のアルバムタイトル１１０３に相当）、１２０２にはそのアルバムに収録されている曲目が表示され、曲数が多い場合は、１２０３のボタンを利用して、画面をスクロールさせることにより、ユーザはすべての入力曲目を確認することができる。
【００６４】
また、アーティスト名（１１０４）、曲順・曲名（１２０２）の編集を希望する場合にはユーザは１２０４ボタンを押下し、ステップＳ８０９でラベルタイトル（１１０３）、アーティスト名（１１０４）曲順・曲名（１２０２）を編集してからＳ８１０に進む。
【００６５】
一方、ステップＳ８０８において、タイトル、アーティスト名、曲順・曲名の編集を希望しない場合には、図１２のボタン１２０５をユーザが押下したのを検知すると次のステップＳ８１０に進む。
【００６６】
次にステップＳ８１０では、ラベル背景画面（図１３）を表示し、ユーザが図１３の画面からラベル背景を選択する。たとえば、図１３の１３０２ボタンで背景のジャンルを選択し、１３０３ボタンで背景を選択する。１３０４は同ジャンル内の他の画像を選択するボタンである。このようにして選択された画像をラベルイメージプレビュー１３０１で確認して、背景画像が決定した場合は図１３のボタン１３０５をユーザが押下したのを検知すると次のステップＳ８１１に進む。
【００６７】
ステップＳ８１１では、文字書体・色の編集画面（図１４）を表示し、ユーザが図１４の画面から文字書体・色を選択する。すなわち、図１４のラベルタイトルプレビュー１４０２と、曲名プレビュー１４０３を参照しながら、１４０４ボタンを使用して文字書体を選択する。同様にラベルタイトルプレビュー１４０２と、曲名プレビュー１４０３を参照しながら、１４０５ボタンを使用して文字色を選択する。このようにして決定された印刷するラベルの最終状態をラベルイメージプレビュー１４０１で確認して、変更がなければユーザは１４０６ボタンを押下するので、その押下を検知するとステップＳ８１２に進み印刷を開始する。
【００６８】
ステップＳ８１２で決定された印刷情報に基づいて貼付物であるラベルに印刷するために、必要な印刷データをコンピュータ６０２のデータベース７０３からプリンタ６０５に送信し、この印刷データに基づいて貼付物であるラベルに印刷して、図６の出力口６０６から図１５に一例を示す各ラベルに印刷された台紙（図１の台紙に印刷）を出力（排出）する。印刷が終了するとステップＳ８１３に進み初期画面である待機画面を表示してからにステップＳ８１４に進み、本処理を終了する。
【００６９】
なお図１５の場合には、ラベル１５０２，１５０７はそのサイズの大きさから、収録曲まですべてを印刷することができるが、その他のラベル１５０３〜１５０６、１５０９〜１５１１はアルバムタイトル、アーティスト名のみを印刷する。
【００７０】
以上説明してきたように、本発明である図１の各種記憶媒体とその収容ケースに（図２〜図５）貼付可能なラベル用紙、及び図８，９の手順による第１の実施の形態によれば、光磁気ディスク、磁気テープ、磁気ディスク、ＩＣカード、及びＦｌａｓｈメモリカード等に代表される映像、音声、情報等を記録する記憶媒体、該記憶媒体を収納するケース、及びＭＰ３プレイヤ等に代表される該記憶媒体を有する記録装置に適合する貼付物を印刷する印刷装置において、図１のような様々な形状をした記憶媒体、及び該該記憶媒体を収納するケースにも対応できるようにカットされた用紙を用いて、そのサイズに合った内容を印刷することで、ユーザがコンピュータ、プリンタ及び種々の専用用紙を用意することなく複数の記憶媒体、及び該記憶媒体を収納するケースのラベルを１度に作成することができる。
【００７１】
このように本発明の第１の実施形態の印刷装置では、貼付物は記憶媒体と記憶媒体を収容する収容ケースの表面または側面に貼付するラベルであることが好ましい。
【００７２】
また例えば、印刷部は、生成した印刷データを一度の印刷で記録媒体のそれぞれのラベルに印刷することが好ましい。
【００７３】
また例えば、生成部は、貼付物に印刷する印刷情報を選択させる印刷情報の選択画面を表示し、該選択画面で選択された印刷情報に基づいて印刷データを生成することが好ましい。
【００７４】
また例えば、生成部は、貼付物に印刷する文字の種類、文字の大きさまたは貼付物の背景の種類のうちの少なくとも１つを選択する選択画面を表示し、該選択画面で選択された文字の種類、文字の大きさまたはラベルの背景を用いて印刷データを生成することが好ましい。
【００７５】
また例えば、印刷データは、記憶媒体に記憶されているアルバムタイトル、曲名、または、アーチスト名のうちの少なくとも１つを含むことが好ましい。
【００７６】
＜第２の実施形態＞
次に、本発明の第２の実施の形態に係る印刷装置について図１６〜２１を参照して説明する。なお以下に説明する第２の実施の形態に係る印刷装置２６０１は、その構成がハードディスクに格納されている制御プログラムを除けば第１の実施の形態に係る印刷装置６０１（図７）と同じである。そこで、共通する部分についての説明は重複するので、同じ符号を付してその説明を省略し、以下、第１の実施の形態と異なる点のみを説明するものとする。
【００７７】
図１６は、本発明の第２の実施の形態に係るラベル用紙のレイアウト、及び出力物の図である。
【００７８】
図１７は、本発明の第２の実施の形態に係るスマートメディア及びその収納ケースに図１６の貼付物を貼付した図である。
【００７９】
図１８は、本発明の第２の実施の形態に係る図６の印刷装置２６０１の全体構成、及び他のコンピュータの内部構成およびそれらの接続を示すブロック図である。
【００８０】
図１９，２０は、本発明の第２の実施の形態に係る図１８のコンピュータ６０２の制御プログラム２  １８０２の処理を示すフローチャートである。なお、コンピュータ６０２の制御プログラム１  １８０１は第１の実施の形態で説明した図８，９で示した処理の制御プログラムと同じものである。
【００８１】
図２１は、図１９の制御処理においてタッチパネル式モニタ６０３上に表示する画面の概略図である。
【００８２】
［ラベル用紙：図１６］
第１の実施の形態では、図１のようなレイアウトのラベル用紙を利用して印刷物を得る方法であったが、第２の実施の形態では図１のレイアウトのラベル用紙以外に図１６の１６０２、１６０３に示すようなレイアウトを有するラベル用紙も使用することができ、図１６のラベル用紙を使用すると図１７のスマートメディアのような折り返しを要するラベルを作成することができる。
【００８３】
１６０２，１６０３は図１の１０９に相当するもので、１６０２，１６０３はそれぞれ１０ｍｍ×２０ｍｍサイズであり、１６０２と１６０３の接合部はミシン目が入れられている。
【００８４】
次に、上述の構成よりなる実施例のラベル用紙を用いて、印刷装置２６０１で各種媒体用のラベルを作成する方法について説明する。
【００８５】
［印刷装置：図１８］
図１８のように印刷装置２６０１のコンピュータ６０２には、制御プログラム１  １８０１と、制御プログラム２  １８０２が搭載されている。１８０１の制御プログラム１は第１の実施形態で説明した図１のラベル用紙を用いる場合の制御プログラムであり、１８０２の制御プログラム２は、図１６のラベル用紙を用いる場合の制御プログラムである。
【００８６】
図１８の制御プログラム１８０１（図１のラベル用紙を用いる場合）と制御プログラム１８０２（図１６のラベル用紙を用いる場合）を切り替える際には図１８の１８０３のキーボードを用いる。
【００８７】
次に、上記説明した第２の実施の形態の印刷装置２６０１で１６０１のラベル用紙を用いて、印刷装置２６０１で各種媒体用のラベルを作成する方法について説明する。
【００８８】
［ラベル作成処理：図１９，２０］
まず印刷装置２６０１を起動すると（ステップＳ１９０１）、ステップＳ１９０２）に遷移し、待機画面を表示する。
【００８９】
この待機画面でキーボード１８０３の所定のキーが押されると（ステップＳ１９０３）、ステップＳ１９０４に移行する。
【００９０】
ステップＳ１９０４では、図２１のメンテナンスモードの画面が表示され、図２１の操作画面上の２１０１ボタン、２１０２ボタンで使用する用紙種類がユーザにより選択される。
【００９１】
例えば、ユーザが２１０１ボタンを押下したのを検知すると、図１のラベル用紙をプリンタ６０５にセットし、制御プログラム１  １８０１が起動して、第１の実施形態である図８，９の処理が実行される。この詳細は、第１の実施形態と同じであり重複するのでその説明は省略する。
【００９２】
ユーザが２１０２ボタンを押下したのを検知すると、図１６のラベル用紙をプリンタ６０５にセットし、制御プログラム２  １８０２が起動され、図１９，２０の処理が実行される。
【００９３】
なお、図１９，２０のステップＳ８０３〜Ｓ８１１の処理は、図８，９のステップＳ８０３〜Ｓ８１１の処理と同じである。
【００９４】
制御プログラム２  １８０２では、ステップＳ８０４〜Ｓ８１１で決定された、アルバムタイトル、及びアーティスト名の文字をそのまま印刷する場合の他に、図１６の１６０４に示す部分については、ステップＳ８０４〜Ｓ８１１で決定された、アルバムタイトル、及びアーティスト名の文字を１８０度回転させて印刷する処理（ステップＳ１９１５）を含む。
【００９５】
このようにして作成された、１６０２，１６０３をミシン目から山折りして貼付することにより、図１７のようなスマートメディアにも貼付することができる。
【００９６】
なお図１７の１７０１はスマートメディアの表面であり、１７０３はその裏面である。１７０５はスマートメディアの収納ケースである。貼付位置１７０２にラベル１６０２を貼付し、貼付位置１７０４にラベル１６０３を貼付する。なおラベル１６０２，１６０３は対称であるため、上記とは逆に貼付することもできる。貼付位置１７０６にはラベル１５０８を貼付する。
【００９７】
次に１６０１のレイアウトのラベル用紙を利用した場合、図３の記憶媒体、及びその収納ケースに貼付する場合について説明する。
【００９８】
第１の方法として、１６０２と１６０３をミシン目から切り離して両方利用する。１６０２を図３の３０２に、１６０３を図３の３０４に貼付する。
【００９９】
第２の方法として、１６０２と１６０３をミシン目から切り離して、その一方と１５０８を利用する。１６０２を３０２、もしくは３０４に貼付し、１５０８を３０４もしくは３０２に貼付する。
【０１００】
上記の説明では図３のＳＤメモリーカードの場合について説明したが、図４のコンパクトフラッシュ（登録商標）でも同様にして実現可能である。
【０１０１】
以上のように、図１６のレイアウトのラベル用紙を作成して、印刷装置２６０１でラベル（貼付物）を作ることにより、図１７のような記憶媒体、及びその収納ケースに貼付でき、かつ図３，４，５のような形状の記憶媒体、及びその収納ケースにも図１６のラベル用紙で作成したラベル（貼付物）を貼付できる。
【０１０２】
以上説明してきたように、本発明である図１６の用紙、及び図１８の装置構成、図１９，２０の手順による第２の実施の形態によれば、スマートメディアにも対応するラベルを作成することができる。
【０１０３】
また上記のような本実施の形態では、印刷装置がミニディスク、及びＳＤメモリーカード，コンパクトフラッシュ（登録商標），メモリースティック，スマートメディアに貼付するためのラベルを作成する場合について説明したが、ＣＤ、ＤＶＤ等を含む光磁気ディスク、カセットテープ等の磁気テープ、磁気ディスク、ＩＣカード、Ｆｌａｓｈメモリ、及びＦｌａｓｈメモリカード等の記憶媒体、該記憶媒体を収納するケース、並びにＭＰ３プレイヤ等の記録装置に貼付するラベル、シール、インデックスカード等を作成する場合でも同様に実施可能である。
【０１０４】
このように本発明の第２の実施形態の印刷装置では、生成手段は、貼付物（ラベル等）の形状と貼付物（ラベル等）の配置位置に応じた印刷データを生成することが好ましい。
【０１０５】
また例えば、記録媒体の中から所望の記録媒体を選択する選択部と、選択された記憶媒体に対応する印刷データを生成し、該印刷データに基づいて印刷するように生成部と印刷部とを制御する制御部と、を更に有することが好ましい。
【０１０６】
［その他の実施形態］
なお、本発明は、システム、装置、方法、プログラムもしくは記憶媒体などとしての実施態様を取ることも可能であり、具体的には、複数の機器（例えばホストコンピュータ，インターフェース機器，リーダ，プリンタなど）から構成されるシステムに適用しても、一つの機器からなる装置（例えば、複写機，ファクシミリ装置など）に適用してもよい。
【０１０７】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【０１０８】
この場合、記憶媒体から読出されたプログラムコード自体が前述した実施形態の機能を実現することになり、そのプログラムコードを記憶した記憶媒体およびプログラム自体が本発明を構成することになる。
【０１０９】
プログラムコードを供給するための記憶媒体としては、例えば、フロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【０１１０】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【０１１１】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【０１１２】
本発明を上記記憶媒体に適用する場合、その記憶媒体には、先に説明した（図８、９、１９，２０に示す）フローチャートに対応するプログラムコードが格納されることになる。
【０１１３】
以上詳細に説明したように、本発明によれば、図１や図１６のような様々な形状をした記憶媒体、及び該該記憶媒体を収納するケースにも対応できるようにカットされたラベル用紙を用いて、そのサイズに合った内容を印刷することで、ユーザがコンピュータ、プリンタ及び種々の専用用紙を用意することなく複数の記憶媒体、及び該記憶媒体を収納するケースのラベルを作成することができる。
【０１１４】
このように１種類のラベル用紙で複数の記憶媒体、及び該記憶媒体を収納するケースのラベルを作成することができることで、印刷装置に数種類の用紙を搭載する必要が無く、印刷装置の構成をシンプルにすることができる効果がある。
【０１１５】
ユーザは本発明を用いた印刷装置を利用することにより、印刷装置を１度の操作で複数の記憶媒体、及び該記憶媒体を収納するケース用のラベルを作成することができるため、ユーザに使い勝手のよい印刷装置を提供できる効果がある。
【０１１６】
現在は、上記説明したように種々の記憶媒体（メディア）を使用する機器が混在しているが、本印刷装置は、ユーザの所有する機器の記憶媒体（メディア）に左右されずに各種の記憶媒体に対応するラベルを印刷できるので、より多くのユーザに使用できる、印刷装置の利用頻度を上げる効果がある。
【０１１７】
【発明の効果】
以上詳細に説明したように、本発明によれば、形状等が異なる各種記憶媒体に対して、いずれかの記憶媒体に貼付可能な貼付物（ラベル等）であり、かつ記憶媒体の記憶情報を印刷した貼付物を容易に製造可能であるため、幅広いユーザに使用可能な利用頻度の高い印刷装置、情報処理装置およびその制御方法を提供できる。
【図面の簡単な説明】
【図１】本発明の第１の実施の形態に係るラベル用紙のレイアウト図である。
【図２】ミニディスク及びその収納ケースに図１のラベルを貼付した図である。
【図３】ＳＤメモリーカード及びその収納ケースに図１のラベルを貼付した図である。
【図４】コンパクトフラッシュ（登録商標）カード及びその収納ケースに図１のラベルを貼付した図である。
【図５】メモリースティック及びその収納ケースに図１のラベルを貼付した図である。
【図６】本発明の第１，２の実施の形態に係る印刷装置を示す斜視図である。
【図７】第１の実施形態の印刷装置と店舗設置コンピュータ、及びサーバコンピュータの全体構成を示すブロック図である。
【図８】第１の実施形態の印刷制御処理を示すフローチャートである。
【図９】第１の実施形態の印刷制御処理を示すフローチャートである。
【図１０】図８の制御処理においてタッチパネル式モニタ６０３上に表示する入力方式選択画面の概略図である。
【図１１】図８の制御処理においてタッチパネル式モニタ６０３上に表示する検索画面の概略図である。
【図１２】図８の制御処理においてタッチパネル式モニタ６０３上に表示する入力項目確認画面の概略図である。
【図１３】図９の制御処理においてタッチパネル式モニタ６０３上に表示するラベル背景選択画面の概略図である。
【図１４】図９の制御処理においてタッチパネル式モニタ６０３上に表示する文字編集画面の概略図である。
【図１５】本発明の第１の実施形態における印刷結果の概略図である。
【図１６】本発明の第２の実施形態における印刷結果の概略図である。
【図１７】スマートメディア及びその収納ケースに図１６のラベルを貼付した図である。
【図１８】第２の実施形態の印刷装置と店舗設置コンピュータ、及びサーバコンピュータの全体構成を示すブロック図である。
【図１９】第２の実施形態の印刷制御処理を示すフローチャートである。
【図２０】第２の実施形態の印刷制御処理を示すフローチャートである。
【図２１】図１９の制御処理においてタッチパネル式モニタ６０３上に表示するメンテナンスモード設定画面の概略図である。
【符号の説明】
１０１  ラベル用紙の台紙
１０２  ラベル
１０３  ラベル
１０４  ラベル
１０５  ラベル
１０６  ラベル
１０７  ラベル
１０８  ラベル
１０９  ラベル
１１０  ラベル
１１１  ラベル
【図１】
2005028725.tif 000003
【図２】
2005028725.tif 000004
【図３】
2005028725.tif 000005
【図４】
2005028725.tif 000006
【図５】
2005028725.tif 000007
【図６】
2005028725.tif 000008
【図７】
2005028725.tif 000009
【図８】
2005028725.tif 000010
【図９】
2005028725.tif 000011
【図１０】
2005028725.tif 000012
【図１１】
2005028725.tif 000013
【図１２】
2005028725.tif 000014
【図１３】
2005028725.tif 000015
【図１４】
2005028725.tif 000016
【図１５】
2005028725.tif 000017
【図１６】
2005028725.tif 000018
【図１７】
2005028725.tif 000019
【図１８】
2005028725.tif 000020
【図１９】
2005028725.tif 000021
【図２０】
2005028725.tif 000022
【図２１】
2005028725.tif 000023